(57)【特許請求の範囲】
【請求項１】
ユーザの識別情報を格納する着脱可能な記憶媒体が装着可能であり、当該記憶媒体から当該識別情報を入力する情報入力手段を備えた携帯通信端末であって、
送信もしくは受信される電子メールを順次蓄積して記憶する記憶手段と、
上記電子メールと、当該電子メールの取得時に上記携帯通信端末に装着中の上記記憶媒体から上記情報入力手段に入力される識別情報とを関連付けて上記記憶手段に記憶させる第１の制御手段と、
表示手段と、
上記記憶手段に記憶される複数の上記電子メールを、上記記憶手段において関連付けられた識別情報と無関係にまとめて上記表示手段に一覧表示させるとともに、上記記憶手段において各電子メールに関連付けられる識別情報の違いに応じて当該電子メールの上記表示手段における表示に差異を与える第２の制御手段と、
上記記憶媒体が新たに装着されたとき、並びに、電源オン若しくはリセット指示されたとき、上記記憶手段に記憶されるそれぞれの電子メールの識別情報が、その時点で装着中の上記記憶媒体から上記情報入力手段に入力される識別情報と一致するか否か検査し、当該検査において一致する場合には第１のフラグ情報を、一致しない場合には第２のフラグ情報を、上記記憶手段のそれぞれの電子メールに関連付ける第３の制御手段と
を有し、
上記第２の制御手段は、
上記記憶手段に記憶される複数の上記電子メールを上記表示手段に一覧表示させるとき、上記記憶手段の上記第１のフラグ情報および上記第２のフラグ情報を参照し、上記記憶手段において上記第１のフラグ情報に関連付けられた電子メールと、上記記憶手段において上記第２のフラグ情報に関連付けられた電子メールとで、上記表示手段における表示に差異を与える
ことを特徴とする携帯通信端末。
【請求項２】
上記記憶媒体に格納される上記ユーザの識別情報は、複数桁からなる情報であり、
上記記憶手段において上記電子メールに関連付けて記憶される上記第１のフラグ情報および第２のフラグ情報はともに、１桁の情報である
請求項１に記載の携帯通信端末。
【請求項３】
上記第２の制御手段が上記電子メールを一覧表示する場合に表示に与える上記差異は、上記情報入力手段より入力される識別情報に関連付けられた電子メールと、その他の識別情報に関連付けられた電子メールとに、異なる所定の記号画像を付随させるものであることを特徴とする、
請求項１または２に記載の携帯通信端末。
【請求項４】
上記第２の制御手段が上記電子メールを一覧表示する場合に表示に与える上記差異は、上記情報入力手段より入力される識別情報に関連付けられた電子メールと、その他の識別情報に関連付けられた電子メールとに、異なる所定の色、輝度、または書式を与えるものであることを特徴とする、
請求項１から３の何れか一に記載の携帯通信端末。
【請求項５】
上記第２の制御手段が上記電子メールを一覧表示する場合に表示に与える上記差異は、上記情報入力手段より入力される識別情報に関連付けられた電子メールの表示領域の背景と、その他の識別情報に関連付けられた電子メールの表示領域の背景とに、異なる所定の色または輝度を与えるものであることを特徴とする、
請求項１から４の何れか一に記載の携帯通信端末。
【発明の詳細な説明】
【技術分野】
【０００１】
本発明は、使用中のユーザを識別するための識別情報の入力手段を備えた携帯通信端末に係り、例えば、上記識別情報を格納する着脱可能な記憶媒体のインターフェースを備えた携帯電話機等の携帯通信端末に関するものである。
【背景技術】
【０００２】
ＧＳＭ（global system for mobile communications）方式の携帯電話機には、ＳＩＭ（subscriber identity module）と称される着脱可能なＩＣカードから加入者の識別番号や電話番号などを取得するものがある。携帯電話機を利用する場合、ＳＩＭカードから読み取られるこれらの情報によって、携帯電話機のユーザが通信事業者に登録された正規の加入者であることが認証される。また、異なるＳＩＭカードを挿入することによって携帯電話機の電話番号を変更することが可能になることから、１つの携帯電話機を複数のユーザで共用したり、１つの電話番号で複数の携帯電話機を使い分けることが可能になる。
【０００３】
ＳＩＭには、こうしたユーザを識別するための情報に加えて、電話帳や通話料金など、ユーザの個人的な情報を格納することも可能である。
特許文献１には、ＳＩＭカード等の着脱可能な記憶媒体に格納されるユーザの電話帳の拡張方法に関する技術が記載されている。
【特許文献１】特開２００１−１５６９０４号公報
【発明の開示】
【発明が解決しようとする課題】
【０００４】
ところで、複数のユーザで上述のような携帯電話機を共有する場合、例えば電子メールや発着信履歴など、各ユーザの使用に由来するデータが携帯電話機の不揮発性メモリ上に保存される。保存された各ユーザのデータは、多くの場合、携帯電話機のユーザインターフェースを操作することにより、そのディスプレイ画面に例えばリストとして表示させることが可能である。
【０００５】
しかしながら、従来の携帯電話機には、こうしたリスト上において各データがどのユーザにより作成・保存されたものであるのかを視覚的に分かり易く表示する仕組みが設けられていない。
【０００６】
特許文献１に記載される電話機は、装着される記憶媒体ごとに対応する記憶領域を電話機の記憶部内に設け、その各々の記憶領域に、対応する記憶媒体が装着された際に用いられる電話帳のデータを格納するものである。しかしながら、この電話帳のリストを表示部において表示させる際に、リスト上のデータをユーザに分かり易く示す仕組みに関しては、特許文献１に記載されていないため、各ユーザはリスト中より自らに関するのデータを選び出すことが困難であり、ユーザの利便性が損なわれているという不利益がある。
【０００７】
例えば、受信メールのリストから現在挿入中のＳＩＭに関連するメールを選び出そうとしても、ディスプレイ画面に表示される受信メールのリストではその識別ができないため、受信メールを開いて宛先を確認する等の面倒な操作が必要になる。
【０００８】
また、誤って他のユーザの受信メールを開いてしまった場合、その受信メールが件名、宛先等のヘッダ情報のみ受信されているものであると、他ユーザのメール本体をダウンロードするようにメールサーバに対して要求を発することになる。この場合、メールサーバにおいてダウンロード要求は拒絶されため、メールサーバからエラーの通知が返送されるまでユーザの操作は中断される。未受信のファイルが添付された他ユーザのメールを誤って開いてしまった場合についても同様であり、間違いのたびに操作が中断されて甚だ不便である。
さらに、他ユーザ宛ての受信メールを自らに宛てたものと誤って認識して、これを他者に転送してしまう危険性が高くなる。
【０００９】
本発明はかかる事情に鑑みてなされたものであり、その目的は、各ユーザの使用に由来して取得される電子メール等の情報を、当該情報の取得時のユーザの違いが明確になるように表示することができる携帯通信端末を提供することにある。
【課題を解決するための手段】
【００１０】
上記の目的を達成する本発明の携帯通信端末は、ユーザの識別情報を格納する着脱可能な記憶媒体が装着可能であり、当該記憶媒体から当該識別情報を入力する情報入力手段を備えた携帯通信端末であって、送信もしくは受信される電子メールを順次蓄積して記憶する記憶手段と、上記電子メールと、当該電子メールの取得時に上記携帯通信端末に装着中の上記記憶媒体から上記情報入力手段に入力される識別情報とを関連付けて上記記憶手段に記憶させる第１の制御手段と、表示手段と、上記記憶手段に記憶される複数の上記電子メールを、上記記憶手段において関連付けられた識別情報と無関係にまとめて上記表示手段に一覧表示させるとともに、上記記憶手段において各電子メールに関連付けられる識別情報の違いに応じて当該電子メールの上記表示手段における表示に差異を与える第２の制御手段と、上記記憶媒体が新たに装着されたとき、並びに、電源オン若しくはリセット指示されたとき、上記記憶手段に記憶されるそれぞれの電子メールの識別情報が、その時点で装着中の上記記憶媒体から上記情報入力手段に入力される識別情報と一致するか否か検査し、当該検査において一致する場合には第１のフラグ情報を、一致しない場合には第２のフラグ情報を、上記記憶手段のそれぞれの電子メールに関連付ける第３の制御手段とを有し、上記第２の制御手段は、上記記憶手段に記憶される複数の上記電子メールを上記表示手段に一覧表示させるとき、上記記憶手段の上記第１のフラグ情報および上記第２のフラグ情報を参照し、上記記憶手段において上記第１のフラグ情報に関連付けられた電子メールと、上記記憶手段において上記第２のフラグ情報に関連付けられた電子メールとで、上記表示手段における表示に差異を与える。
【００１１】
好適には、上記記億媒体に格納される上記ユーザの識別情報は、複数桁からなる情報であり、上記記憶手段において上記電子メールに関連付けて記憶される上記第１のフラグ情報および第２のフラグ情報はともに、１桁の情報である。
【００１３】
本発明において、上記差異は、上記情報入力手段より入力される識別情報に関連付けられた取得情報と、その他の識別情報に関連付けられた取得情報とに、異なる所定の記号画像を付随させるものでも良いし、これらの取得情報に異なる所定の色、輝度、または書式を与えるものでも良い。
【００１４】
また、本発明において、上記差異は、上記情報入力手段より入力される識別情報に関連付けられた取得情報の表示領域の背景と、その他の識別情報に関連付けられた取得情報の表示領域の背景とに、異なる所定の色または輝度を与えるものでも良い。
【００１５】
また、本発明において、上記記憶手段に記憶される取得情報は、少なくとも、電子メールの作成処理、送信処理もしくは受信処理に伴って取得される電子メールの情報、通話処理に伴って取得される発信履歴もしくは着信履歴の情報、電子メール・アドレスもしくは電話番号の登録処理に伴って取得される登録情報、または、撮像処理に伴って取得される撮像画像の情報の何れか一を含んでも良い。
【発明の効果】
【００１６】
本発明によれば、各ユーザの使用に由来して取得される電子メール等の情報を、当該情報の取得時のユーザの違いが明確になるように表示することができる。
【発明を実施するための最良の形態】
【００１７】
以下、本発明を携帯電話機に適用した場合の一実施形態について、図面を参照してを説明する。
【００１８】
図１は、本実施形態に係る携帯電話機１０の構成の一例を示すブロック図である。
【００１９】
携帯電話機１０は、例えば図１に示すように、通信処理部１０１、ＲＡＭ１０２、フラッシュＲＯＭ１０３、キー入力部１０４、表示部１０５、音声処理部１０６、ＳＩＭカード・インタフェース部１０７、ＳＩＭカード１０８、および制御部１０９を有する。
ＳＩＭカード・インタフェース部１０７は、本発明の情報入力手段の一実施形態である。
フラッシュＲＯＭ１０３は、本発明の記憶手段の一実施形態である。
表示部１０５は、本発明の表示手段の一実施形態である。
制御部１０９は、本発明の第１の制御手段、第２の制御手段および第３の制御手段の一実施形態である。
なお、後述するように、ＳＩＭカード１０８は、携帯電話機１０の専用スロットに対して着脱可能なカード型の記憶媒体である。
【００２０】
通信処理部１０１は、図示しない基地局との間の無線通信に関する処理を行う。例えば、制御部１０９で処理された音声情報や電子メール等の各種情報に所定の変調処理を施して無線信号を生成し、これをアンテナから送出させる。
また、通信処理部１０１は、基地局から無線により送信され、アンテナで受信された信号に所定の復調処理を施して音声情報や電子メール等の各種情報を再生し、制御部１０９に出力する。
【００２１】
ＲＡＭ１０２は、例えばＳＲＡＭ（static randam access memory）等の揮発性メモリを含んでおり、制御部１０９の処理過程で利用される一時的なデータを記憶する。例えば、制御部１０９のプログラムや、後述するＳＩＭカード１０８に格納されるユーザの識別情報を記憶する。
携帯電話機１０にＳＩＭカード１０８が装着された状態で電源がオンすると、制御部１０９は、フラッシュＲＯＭ１０３に格納される制御用のプログラムや、ＳＩＭカード１０８に格納されるユーザの識別情報を読み出して、ＲＡＭ１０２にロードする。
【００２２】
フラッシュＲＯＭ１０３は、制御部１０９において種々の処理（通話処理、電子メールの送受信処理、インターネットの閲覧処理など）を実行させるためのプログラムや、これらの処理によって取得される送受信メール、発着信履歴、アドレス帳など、電源オフ後も保持が必要な種々の情報を記憶する。
【００２３】
キー入力部１０４は、終了（終話）／電源キー、開始（発呼）キー、数字キーや記号キーなど、各種の入力情報に対応したキーを有し、これらのキーに押下等の入力操作が行われた場合、当該操作に応じた信号を発生して制御部１０９に出力する。
【００２４】
表示部１０５は、制御部１０９の制御に基づいて種々の情報を表示する。例えば、液晶ディスプレイパネルや有機ＥＬパネルなどの表示デバイスを有しており、待ち受け状態における画像や、電話番号，電子メール等のテキストデータなど、制御部１０９より供給される表示データに応じた種々の情報を表示する。
【００２５】
音声処理部１０６は、音声処理回路を有し、通話機能のために音声入力を行うマイクロフォンと音声出力を行うスピーカが接続されている。
音声処理部１０６は、マイクロフォンにおいて音から変換された電気的な音声信号に増幅、アナログ−デジタル変換、符号化等の信号処理を施して音声データを生成し、これを制御部１０９に出力する。
また、音声処理部１０６は、制御部１０９より供給される音声データに復号化、デジタル−アナログ変換、増幅等の信号処理を施して音声信号を生成し、これをスピーカから音として出力させる。
【００２６】
ＳＩＭカード・インタフェース部１０７は、ＳＩＭカード１０８と制御部１０９との間において情報の受け渡しを行うためのインタフェース処理を行う。制御部１０９は、このＳＩＭカード・インタフェース部１０７を介してＳＩＭカード１０８の情報にアクセスする。
【００２７】
ＳＩＭカード１０８は、携帯電話機１０の専用スロットに着脱可能なカード型の記憶媒体であり、例えばＥＥＰＲＯＭ（electrically erasable programmable read-only memory）などの不揮発性メモリを含む。
ＳＩＭカード１０８は、通信事業者からＳＩＭのユーザを識別するための情報として、各カードに固有に割り当てられるＩＭＳＩ（international mobile subscriber identity）と称される１５桁の識別情報（以降、単に識別情報と表記する）を格納する。また、ユーザの使用に応じて任意に書き換えられる電話帳や通話料金などの情報も格納する。
【００２８】
制御部１０９は、フラッシュＲＯＭ１０３に格納されるプログラムに基づいて処理を実行するコンピュータを有しており、携帯電話機１０の全体的な動作に関わる種々の処理を行う。
例えば、制御部１０９は、音声による通話や電子メールの送受信などの通信に関わる処理として、所定の通信プロトコルに基づいて通信処理部１０１の送受信を制御する。また、ユーザーインターフェースに関わる処理として、音声通話を行う際に音声処理部１０６との間で音声データを入出力する処理や、表示部１０５に各種の情報を表示させる処理、キー入力部１０４からの情報の入力処理などを行う。更に、こうした種々の処理の過程で、ＲＡＭ１０２やフラッシュＲＯＭ１０３、ＳＩＭカード１０８に適宜アクセスし、データの読み出しや書き込みを行う。
【００２９】
また、制御部１０９は、携帯電話機１０のスロットへＳＩＭカード１０８が装着された場合や電源がオンされた場合、ＳＩＭカード・インタフェース部１０７を介してＳＩＭカード１０８にアクセスし、これに格納される上述した識別情報を読み出して、ＲＡＭ１０２に格納する。そして、この識別情報を通信事業者が管理する認証サーバに送信して、通信の開設を要求する。
認証サーバにおいて当該識別情報に基づきユーザの認証が行われ、通信の開設が許可されると、当該識別情報を持つ携帯電話機１０の携帯電話網における位置が位置管理サーバーに登録される。これにより、携帯電話機１０は、携帯電話網を介して通話や電子メール送受信等の通信を行うことが可能になる。
【００３０】
さらに、制御部１０９は、上述した種々の処理の実行に伴って取得される受信メールなどの取得情報と、ＳＩＭカード・インターフェース部１０７より入力されるＳＩＭカード１０８の上述した識別情報とを関連付けて、フラッシュＲＯＭ１０３に記憶させる。
【００３１】
図２は、フラッシュＲＯＭ１０３に格納される受信メール・データおよび識別情報の一例を図解した図である。図２に示すように、フラッシュＲＯＭ１０３に格納される受信メール・データには、それぞれ識別情報が関連付けられている。例えば図２に示すように１００通の受信メール・データが格納されている場合には、その各々に関連付けられている１００個の識別情報がフラッシュＲＯＭ１０３に格納される。
【００３２】
そして、キー入力部１０４の操作により所定の情報表示モードが選択された場合などにおいて、制御部１０９は、例えば受信メールの一覧を表示させる処理など、フラッシュＲＯＭ１０３に記憶されるそれぞれの取得情報を表示部１０５に表示させる処理を行う。この場合、制御部１０９は、これらの取得情報に関連付けられる識別情報の違いに応じて、表示部１０５における取得情報の表示に差異を与える。
例えば、制御部１０９は、ＳＩＭカード・インターフェース部１０７を介して入力される識別情報に関連付けられた取得情報と、その他の識別情報に関連付けられた取得情報とで、表示部１０５における表示に差異を与える。
これにより、表示部１０５において表示される複数の取得情報の中から、装着中のＳＩＭカード１０８に格納される識別情報に関連付けられた取得情報を容易に判別することができる。
【００３３】
次に、上述した構成を有する携帯電話機１０の動作について、本発明に関連する取得情報の記憶と表示に関連する部分を中心に述べる。なお、以下の例では、取得情報を受信メールとする。
【００３４】
図３は、受信メールのデータをフラッシュＲＯＭ１０３に書き込む処理の流れの一例を図解したフローチャートである。
【００３５】
ステップＳＴ１０１：
携帯電話機１０の種々の処理モードの中から電子メールの受信処理を行う処理モードが選択されると、制御部１０９は、図示しないメールサーバに電子メールのダウンロードを要求し、この要求に応答してメールサーバより送信される電子メールを受信する。
【００３６】
ステップＳＴ１０２：
新たな電子メールを受信すると、制御部１０９は、現在装着中のＳＩＭカード１０８に格納される識別情報と当該受信メールのデータとを関連付けて、フラッシュＲＯＭ１０３に書き込む。また、当該受信メールに対して値‘１’のフラグ情報を関連付ける。受信メールに対するフラグ情報の関連付けの設定については後ほど説明する。
【００３７】
なお、次に述べる起動処理により、現在装着中のＳＩＭカード１０８に格納される識別情報は予めＲＡＭ１０２にロードされるため、制御部１０９は、ＳＩＭカード１０８の代わりにＲＡＭ１０２から識別情報を読み出してフラッシュＲＯＭ１０３に書き込んでも良い。
【００３８】
図４は、起動処理の流れの一例を図解したフローチャートである。
【００３９】
ステップＳＴ２０１：
例えば電源をオフからオンに設定した場合や、携帯電話機１０のスロットに対してＳＩＭカード１０８が新たに装着された場合、所定のリセットボタンが押下された場合等において起動処理が実行されると、制御部１０９は、ＳＩＭカード・インターフェース部１０７を介してＳＩＭカード１０８にアクセスし、これに記憶される識別情報を読み出す。
【００４０】
ステップＳＴ２０２：
次いで、制御部１０９は、ＳＩＭカード１０８から読み出した識別情報をＲＡＭ１０２の所定の記憶領域に書き込む。
これにより、制御部１０９は、現在装着中のＳＩＭカード１０８に格納される識別情報を読み出す必要が生じた場合、これをＳＩＭカード１０８から読み出す代わりに、アクセス速度が高速なＲＡＭ１０２から読み出すことができるため、処理を高速化することができる。
【００４１】
ステップＳＴ２０３，ＳＴ２０４，ＳＴ２０５：
ＲＡＭ１０２に識別情報を書き込むと、次に制御部１０９は、フラッシュＲＯＭ１０３に記憶されるそれぞれの受信メールに関連付けらた識別情報と、ＲＡＭ１０２に記憶される識別情報とを比較し、両者が一致するか否か検査する。そして、この検査で識別情報が一致すると判定した受信メールには値‘１’のフラグ情報に関連付けを設定し、識別情報が一致しないと判定した受信メールには値‘０’のフラグ情報に関連付けを設定する。
【００４２】
例えば、制御部１０９は、フラッシュＲＯＭ１０３に格納される受信メールに対応した情報として、各受信メールのフラッシュＲＯＭ１０３における格納アドレスの情報や、各受信メールの本体の情報などをＲＡＭ１０２上の所定の記憶領域に記憶させるとともに、この受信メールの情報に関連付けて、上述したフラグ情報を当該記憶領域に記憶させる。
これにより、制御部１０９は、ＲＡＭ１０２に記憶されるフラグ情報の値を調べる簡単な処理で、各受信メールが現在装着中のＳＩＭカード１０８の識別情報に関連付けられているか否かを素早く判定できる。
【００４３】
図５は、受信メールの一覧を表示部１０５において表示させる処理の流れの一例を図解したフローチャートである。
【００４４】
ステップＳＴ３０１：
携帯電話機１０の種々の処理モードの中から受信メールのリスト表示を行う処理モードが選択されると、制御部１０９は、フラッシュＲＯＭ１０３に格納される受信メールのデータをＲＡＭ１０２に読み出す。
【００４５】
ステップＳＴ３０２：
制御部１０９は、ＲＡＭ１０２に読み出した受信メールのデータに基づいて、受信メールの一覧を表示部１０５に表示させる。
また、制御部１０９は、ＲＡＭ１０２の所定の記憶領域に記憶される上述したフラグ情報を調べ、‘１’のフラグ情報が関連付けられた受信メールについては黒い四角形のアイコンが付随し、‘０’のフラグ情報が関連付けられた受信メールについては黒いひし形のアイコンが付随するように、表示部１０５の表示を構成する。
【００４６】
図６は、表示部１０５にリスト表示される受信データの一例を図解した図である。
図６の例では、各受信メールの件名を表す文字Ｐ１〜Ｐ６が画面上に横書きで、縦方向に並んで表示されており、それぞれの文字Ｐ１〜Ｐ６の左横には、黒い四角形またはひし形のアイコンが付随している。
【００４７】
以上説明したように、本実施形態に係る携帯電話機１０によれば、電子メールの受信処理の実行に伴って取得される受信メールのデータと、ＳＩＭカード・インターフェース部１０７を介してＳＩＭカード１０８から読み出される識別情報とが関連付けられて、フラッシュＲＯＭ１０３に記憶される。そして、フラッシュＲＯＭ１０３に記憶されるそれぞれの受信メールを表示部１０５に表示させる場合に、現在装着中のＳＩＭカード１０８から読み出される識別情報に関連付けられた受信メールと、その他の識別情報に関連付けられた受信メールとで、表示部１０５における表示に差異が与えられる。
したがって、表示部１０５に表示される複数の受信メールの中から、現在装着中のＳＩＭカード１０８を用いて受信されたメールを容易に判別することが可能になる。これにより、例えば、受信メールを開いて宛先を確認する等の面倒な操作を行うことなく目的の受信メールを選び出すことができるため、ユーザの利便性を高めることができる。
【００４８】
また、現在装着中のＳＩＭカード１０８に対応する受信メールを明確に見分けることが可能になることから、誤って他のユーザの受信メールを開いてしまう頻度を減らすことができる。これにより、ヘッダ情報のみが受信されていたり、添付ファイルが未受信であるような他ユーザのメールを誤って開いた場合に操作が長く中断されてしまう不具合を減らすことができる。
さらに、他ユーザ宛ての受信メールを自らに宛てたものと誤って認識して、これを他者に転送してしまう危険性を減らすことができる。
【００４９】
また、異なるＳＩＭカードの装着時に取得された受信メールのデータが図２に示すような単純な構造でフラッシュＲＯＭ１０３に一元的に管理されているため、ＳＩＭカードごとに異なる記憶領域を設ける方法に比べてメモリの管理に関する処理を簡易化することができる。
【００５０】
また、他ユーザの受信メールを隠すことなく一覧で表示させることができるため、例えば法人等によって所有された携帯電話機を複数人で共用する場合において、携帯電話機の管理を容易にすることができる。例えば、受信メールの記憶領域が足りなくなるような場合でも、他ユーザの受信メールを一覧で表示させることができるため、メールの削除などのメンテナンスを容易に行うことかできる。こうした利点を保ちつつ、更に本実施形態によれば、現在装着中のユーザによって取得された受信メールを一覧で表示された受信メールの中から容易に見分けることができるという利便性がもたらされる。
【００５１】
更に、本実施形態の携帯電話機１０によれば、ＳＩＭカード１０８が新たに装着された場合もしくは所定の起動処理が実行される場合、フラッシュＲＯＭ１０３に記憶されるそれぞれの受信メールの識別情報が、ＳＩＭカード・インターフェース部１０７を介してＳＩＭカード１０８から読み出される識別情報と一致するか否か検査され、この検査において一致する場合には‘１’のフラグ情報が、一致しない場合には’０’のフラグ情報が、それぞれの受信メールに関連付けられる。そして、フラッシュＲＯＭ１０３に記憶されるそれぞれの受信メールを表示部１０５に表示させる場合に、‘１’のフラグ情報が関連付けられた受信メールと、‘０’のフラグ情報が関連付けられた受信メールとで、表示部１０５における表示に差異が与えられる。
したがって、各受信メールに対して関連付けられているフラグ情報の値を調べる簡単な処理により、各受信メールが現在装着中のＳＩＭカード１０８の識別情報に関連付けられているか否かを素早く判定して、表示部１０５の表示を構成することができるため、受信メールのリスト表示に要する時間を短縮することができる。
【００５２】
なお、本発明は上述した実施形態に限定されず、種々の改変が可能である。
【００５３】
上述した実施形態は、現在装着中のＳＩＭカード１０８から読み出される識別情報に関連付けられた受信メールと、その他の識別情報に関連付けられた受信メールとに、異なる形のアイコン画像を付随させて表示させるものであるが、本発明はこれに限定されない。
例えば、両者の受信メールの違いを示すために、リスト表示時にアイコンの色や輝度に差異を与えても良いし、受信メールのそれぞれの件名や差出人名の表示の色やその輝度に差異を与えたり、受信メールの件名や差出人名を表す文字の書式（字の太さ、書体など）に差異を与えても良い。
あるいは、受信メールの件名や差出人名を表す画像の表示領域の背景（文字の近傍の背景）に異なる所定の色を用いたり、表示領域の背景の輝度に差異を与えても良い。当然だが、この場合は、リスト上で隣り合う受信メール同士が干渉しない程度の範囲を表示領域とすることが好ましい。
また、両者の違いを示すために、各受信メールの表示領域を所定の図形で囲っても良い。
【００５４】
上述した実施形態では、フラッシュＲＯＭ１０３に記憶される取得情報の一例として、電子メールの受信処理により取得される受信メールのデータを挙げているが、本発明はこれに限定されない。種々の処理の実行に伴って取得され、フラッシュＲＯＭ等の記憶手段に記憶される取得情報についても、本発明は適用可能である
例えば、電子メール作成処理において作成途中の電子メールの情報や、電子メール送信処理によって送信された電子メールの情報、通話処理に伴って取得される発信履歴もしくは着信履歴の情報、電子メール・アドレスもしくは電話番号をアドレス帳などに登録する処理に伴って取得される各種の情報などについても、受信メールの場合と同様に、本発明を適用することが可能である。
また、カメラ機能付きの携帯電話機においては、撮像処理に伴って取得される撮像画像の情報についても、本発明を適用することが可能である。
何れの場合においても、取得情報には、その取得時におけるＳＩＭカードの識別情報が対応付けられる。そして、現在装着中のＳＩＭカードから読み出される識別情報に関連付けられた取得情報と、その他の識別情報に関連付けられた取得情報とがリスト表示の際に異なって表示される。そのため、リスト上で両者の違いを容易に見分けることができるという効果がもたらされる。
【００５５】
上述した実施形態では、装着中の記憶媒体に記憶される識別情報に関連付けられた取得情報と、その他の識別情報に関連付けられた取得情報とで、表示部における表示に差異を与えるものであるが、この例に限らず、例えば識別情報ごとに取得情報の表示に差異を与えても良い。
これにより、表示される取得情報がどのユーザによって取得されたものであるかを容易に見分けることが可能になる。
【００５６】
上述した実施形態では、ユーザーを識別するための情報としてＩＭＳＩを用いる例を示したが、これに限らず、例えば受信メールの一覧を表示させる場合にはメールアドレスやメールアカウントを識別情報として用いても良い。すなわち、表示部において表示に差異をあたえようとする情報に対して、少なくともその情報の取得に関わったユーザの識別を可能にする情報であれば良い。
【００５７】
上述した実施形態では、識別情報を格納する記憶媒体としてＳＩＭカードを用いる例を示したが、これに限らず、例えばＵＩＭ（user identity module）カードなど、他の種々の記憶媒体を用いても良い。
【００５８】
上述した実施形態では、取得情報と識別情報とを関連付けて記憶させる記憶手段にフラッシュＲＯＭを用いる例を示したが、これに限らず、ＥＥＰＲＯＭや不揮発性ＲＡＭなど、電源がオフした状態でも記憶情報を保持できる他の種々の記憶手段を用いても良い。
【００５９】
上述した実施形態では、記憶媒体から読み出した識別情報をＲＡＭにロードして扱う例を示したが、記憶媒体のアクセス速度が処理に支障を来たさない程度に高速であれば、識別情報をＲＡＭにロードすることなく、処理に利用するたびに記憶媒体から読み出しても良い。
【００６０】
上述した実施形態では、制御部１０９の処理がコンピュータによってプログラムに基づいて処理される例を示したが、これらの処理の少なくとも一部をハードウェアによって実行させることも可能である。
また、逆に、制御部１０９以外の他のユニットにおける少なくとも一部の処理を、制御部１０９のコンピュータにおいて実行させても良い。
【００６１】
上述した実施形態は、本発明を携帯電話機に適用した例を示すものであるが、これに限らず、例えばＰＤＡ（personal digital assistant）などの種々の携帯通信端末にも本発明は適用可能である。
【図面の簡単な説明】
【００６２】
【図１】本実施形態に係る携帯電話機の構成の一例を示すブロック図である。
【図２】フラッシュＲＯＭに格納される受信メール・データおよび識別情報の一例を図解した図である。
【図３】受信メールのデータをフラッシュＲＯＭに書き込む処理の流れの一例を図解したフローチャートである。
【図４】起動処理の流れの一例を図解したフローチャートである。
【図５】受信メールの一覧を表示部において表示させる処理の流れの一例を図解したフローチャートである。
【図６】表示部にリスト表示される受信データの一例を図解した図である。
【符号の説明】
【００６３】
１０…携帯電話機、１０１…通信処理部、１０２…ＲＡＭ、１０３…フラッシュＲＯＭ、１０４…キー入力部、１０５…表示部、１０６…音声処理部、１０７…ＳＩＭカード・インターフェース部、１０８…ＳＩＭカード、１０９…制御部
【図１】
0004767489.tif 000002
【図２】
0004767489.tif 000003
【図３】
0004767489.tif 000004
【図４】
0004767489.tif 000005
【図５】
0004767489.tif 000006
【図６】
0004767489.tif 000007